(57)【特許請求の範囲】
【請求項１】
供給される水道水のイオン成分をイオン交換樹脂に吸着させて除去してから洗濯槽内に給水するイオン除去手段と、イオン成分を吸着したイオン交換樹脂に塩水を作用さてイオン吸着機能を回復させるようにした再生手段を備えた電気洗濯機において、
前記再生手段は、電磁給水弁から定流量供給器を介して供給される所定量の水道水を保持して塩水を生成し、この塩水をイオン除去手段に流出させる塩水容器を備え、
前記定流量供給器は、電磁給水弁から供給される水道水を溢水壁部から溢水させて定水位を保つ溢水室を備え、この溢水室の前記溢水壁部とは別の側壁に形成した流出口から流出する定流量の水道水を前記塩水容器に供給するようにしたことを特徴とする電気洗濯機。
【請求項２】
請求項１において、前記溢水室は、前記溢水壁部の溢水縁を屈曲させたことを特徴とする電気洗濯機。
【請求項３】
請求項１または２において、定流量供給器は、溢水室からの溢水を洗濯水として給水するようにしたことを特徴とする電気洗濯機。
【請求項４】
請求項３において、定流量供給器は塩水容器の横に並設し、塩水容器からの溢流を受け入れて洗濯水として給水するようにしたことを特徴とする電気洗濯機。
【請求項５】
請求項１〜４の１項において、前記定流量供給器は、残水を放出する水抜き穴を備えたことを特徴とする電気洗濯機。
【請求項６】
請求項１〜５の１項において、塩水容器への所定量の給水制御は、前記電磁給水弁の開弁時間を制御する制御装置によって行うようにしたことを特徴とする電気洗濯機。
【発明の詳細な説明】
【０００１】
【発明の属する技術分野】
本発明は、洗濯に用いる水から硬度成分のイオンをイオン交換樹脂により除去するイオン除去手段とイオン交換樹脂を再生する再生手段を搭載した電気洗濯機に関する。
【０００２】
【従来の技術】
洗濯機で洗濯に使用する洗濯用水は、水道に代表される水源からホース等で洗濯機に供給し、使用者の指示によって洗濯機内の洗濯槽内に給水して衣類の洗濯に用いている。
【０００３】
しかし、例えば水道水中には、雑菌の殺菌を目的とした次亜塩素酸イオン等の陰イオン、水源に含まれるカルシウムイオン、マグネシウムイオン、鉄イオン等の陽イオンが含まれている。これらのイオンは、洗濯に関しては、洗浄力の低下や衣類の着色などの種々の悪影響を及ぼす。
【０００４】
洗剤の洗浄力に大きな影響を及ぼすのは、硬度成分として含まれるカルシウムイオンやマグネシウムイオンという２価の陽イオンである。これらは、洗剤中の界面活性剤と反応して水不溶性の金属石けんを生成するために、洗浄に寄与する界面活性剤の量が減少して洗浄力を低下させる。また、生成された金属石けんは、水不溶性であり、すすぎが不十分な場合には衣類に残留し白い斑点となって見えたり、黄ばみや異臭の原因となる。更に、洗濯槽の外壁等に付着して堆積した場合には、そこにカビ等が繁殖する場合もある。
【０００５】
これらの悪影響は、洗剤として石けんを使用する場合に特に顕著であり、水の硬度が高い地域では、石けんの使用は不適切である。
【０００６】
一方、最も多くの家庭で用いられている合成洗剤には、水の硬度の影響を小さくするために、ビルダーの一つとしてゼオライトが配合されている。ゼオライトは、けい酸とアルミナを主成分とした水に不溶性の白色の微粒子であり、水中のカルシウムやマグネシウムなどの多価陽イオンを吸着して水を軟水化する働きがある。
【０００７】
水中にカルシウムイオンやマグネシウムイオンが含まれている場合には、これにゼオライト配合の洗剤を投入すると、これらのイオンを除去するが、それと同時に、これらのイオンは洗剤の界面活性剤とも反応するために、金属石けんの生成を完全に防ぐことはできない。このために、ゼオライト混入の効果は薄められることになる。
【０００８】
洗濯水は、これらのイオンを除去した後に洗剤を溶かして洗濯に用いることが好ましい。また、水不溶性のゼオライトをビルダーとして洗剤に多量に混入すると、洗濯後の衣類にゼオライト粒子が付着残留して仕上がりを悪化させる問題もある。
【０００９】
これらのイオンの弊害を除去する方法として、特開平４−２０３９５号公報に記載された洗濯機は、供給される洗濯用水からイオンを除去した後に、洗剤が投入されている洗濯槽に給水して洗濯を行うものである。
【００１０】
この特開平４−２０３９５号公報に記載された洗濯機は、衣類の洗濯を行う洗濯槽と、この洗濯槽内に給水する給水手段とを備えており、この給水手段の給水経路途中にイオン除去手段を設けている。また、このイオン除去手段として、イオン交換樹脂や活性炭を用いることが開示されている。
【００１１】
更に、この特開平４−２０３９５号公報には、イオンを除去するための活性炭の吸着能力の限界に着目し、イオン除去手段と並列な給水経路を用意し、イオン除去手段を選択的に用いてその寿命を延ばすようにすることが開示されている。
【００１２】
イオン交換樹脂は一定量のイオンを吸着した後はその除去効果がなくなるために、一定量の洗濯水を処理した後には再生する必要がある。この再生は、イオンを吸着したイオン交換樹脂に塩水を作用させることによって実現することができる。塩水をイオン交換樹脂に作用させて該イオン交換樹脂を再生する再生手段は、給水配管系の関係から、イオン除去手段と一体化すると共に洗濯機のトップカバーの内側に形成した後部収納箱に設置している。
【００１３】
【発明が解決しようとする課題】
イオン交換樹脂の機能を再生するために該イオン交換樹脂に作用させる塩水を供給する再生手段は、収容した塩を水で溶かして塩水を作るようにしているので、塩水を作ることによって消耗した塩を補充することが必要である。この塩補充の手間を軽減するためには、再生手段に複数回の塩水作成を可能にする量の塩を収容する容器を設け、この容器に収容した塩の一部を溶かして塩水を作ってイオン除去手段に供給するとができるように構成することが望ましい。
【００１４】
また、適量の塩水作成により塩の消耗を定量化して無駄をなくすることにより経済的にすると共に塩補充の時機を把握し易くすることが望ましい。
【００１５】
本発明の１つの目的は、複数回の塩水作成を可能にする量の塩を収容した塩容器を使用してイオン交換樹脂再生に適量の塩水を作成して確実にイオン除去手段に供給することができる再生手段を備えた電気洗濯機を提供することにある。
【００１６】
本発明の他の目的は、塩容器に収容した塩を無駄なく経済的に使用することができる再生手段を備えた電気洗濯機を提供することにある。
【００１７】
本発明の更に他の目的は、イオン交換樹脂の機能回復用の塩水の作成および供給のための給水量制御を容易にすることにある。
【００１８】
【課題を解決するための手段】
本発明は、供給される水道水のイオン成分をイオン交換樹脂に吸着させて除去してから洗濯槽内に給水するイオン除去手段と、イオン成分を吸着したイオン交換樹脂に塩水を作用さてイオン吸着機能を回復させるようにした再生手段を備えた電気洗濯機において、前記再生手段は、電磁給水弁から定流量供給器を介して供給される所定量の水道水を保持して塩水を生成し、この塩水をイオン除去手段に流出させる塩水容器を備え、前記定流量供給器は、電磁給水弁から供給される水道水を溢水壁部から溢水させて定水位を保つ溢水室を備え、この溢水室の前記溢水壁部とは別の側壁に形成した流出口から流出する定流量の水道水を前記塩水容器に供給するようにしたことを特徴とする。
【００１９】
前記溢水室は、前記溢水壁部の溢水縁を屈曲させたことを特徴とする。
【００２０】
前記定流量供給器は、溢水室からの溢水を洗濯水として給水するようにしたことを特徴とする。
【００２１】
また、定流量供給器は塩水容器の横に並設し、塩水容器からの溢流を受け入れて洗濯水として給水するようにしたことを特徴とする。
【００２２】
また、前記定流量供給器は、残水を放出する水抜き穴を備えたことを特徴とする。
【００２３】
そして、塩水容器への所定量の給水制御は、前記電磁給水弁の開弁時間を制御する制御装置によって行うようにしたことを特徴とする。
【００２４】
【発明の実施の形態】
本発明の実施の形態を図面を参照して説明する。
【００２５】
図１は本発明になる電気洗濯機の外観を示す斜視図、図２はその縦断側面図、図３は再生手段における塩容器の着脱状態を示す斜視図である。
【００２６】
１は、内部機構の周囲を内包する枠体である。２は、洗濯兼脱水槽であり、その上縁部に流体バランサー３を備え、底部の内側には回転自在に撹拌翼４を備える。５は、前記洗濯兼脱水槽２を回転自在に内包する外槽であり、その底部の外側には電動駆動装置６を鋼板製の取り付けベース７を介して取り付け、外枠１の上端四隅から防振支持装置８によって懸垂支持している。
【００２７】
衣類投入開口９ａを設けた上カバー９は、枠体１の上部開口を覆うように該開口端縁に嵌め込み、フロントパネル１０およびバックパネル１１と共に取り付けねじ（図示省略）によって枠体１に取り付ける。
【００２８】
上カバー９とフロントパネル１０の間に形成されるフロントパネルボックス１２には、電源スイッチ１３と入力スイッチ群１４と表示素子群１５と外槽５内の水位に応じた水位信号を発生する水位センサー１６と主制御装置１７を内蔵する。  上カバー９とバックパネル１１の間に形成されるバックパネルボックス１８には、入水側を水道栓接続口１９に接続し、軟水出水側を給水口２０に接続し、使用済みの再生塩水を外槽５に排出する排水管２１を備えた給水装置２２を内蔵する。
【００２９】
上カバー９に形成した衣類投入開口９ａは、蓋２３によって開閉自在に覆うようにする。
【００３０】
外槽５の底部に形成した排水口５ａは、電磁排水弁２４を介して排水ホース２５に接続し、エアートラップ５ｂは、エアーチューブ２６を介して前記水位センサー１６に接続する。
【００３１】
枠体１の下端縁には、四隅に脚２７を取り付けた合成樹脂製のベース２８を装着する。
【００３２】
また、前記電動駆動装置６はカバー２９により覆って防水し、この電動駆動装置６の電動機への給電を前記主制御装置１７からの指示に従って制御する電力制御回路である補助制御装置３０は、ベース２８上に設置する。
【００３３】
前記給水装置２２は、イオン除去手段と再生手段を備え、再生手段は、バックパネル１１の一部に形成したカバー３１を開くことによって着脱自在な塩容器３２を備える。
【００３４】
この実施の形態においては、制御装置を主制御装置１７と補助制御装置３０に分けたが、これらを一緒にした１つの制御装置として構成することもできる。
【００３５】
次に、前記給水装置２２について説明する。
【００３６】
図４は、給水装置２２の縦断側面図である。この給水装置２２は、水道栓接続口１９から第１の電磁給水弁３３を介して供給された水道水からイオンを除去して軟水化して洗濯水として給水口２０から洗濯兼脱水槽２に給水するイオン除去手段３４と、第２の電磁給水弁３５と定流量供給器３６を介して塩水生成手段３７に供給した水道水を塩水にして再生塩水として前記イオン除去手段３４に供給する再生手段を備える。
【００３７】
イオン除去手段３４は、上側を開口した有底の筒状の容器３８の内側にイオン交換樹脂３９を充填した筒状のイオン交換樹脂容器４０を水密状態に嵌着し、その上端に嵌着した上蓋４１と上側壁４０ａの間に周囲の排水口４０ｂから前記給水口２０に繋がる上部室４２ａを形成し、下側壁４０ｃと容器３８の底部との間には給水電磁弁３３と排水管２１に繋がる下部室４２ｂを形成した構成である。イオン交換樹脂容器４０は、上側壁４０ａと下側壁４０ｃに多数の通水穴を形成して上下の前記室４２ａ，４２ｂの方向にイオン交換樹脂３９を通して通水性に構成する。
【００３８】
そして、上蓋４１には、再生手段の塩水生成手段３７から塩水の供給を受ける塩水受け口４１ａを備え、この塩水受け口４１ａは前記上側壁４０ａとの間に設けた浮子式の逆止弁４３を備える。
【００３９】
塩水生成手段３７は、上側を開口した四角の箱型の塩水容器４４内に通水性の塩容器３２を着脱自在に設置し、定流量供給器３６から供給された所定量の水道水に塩を浸して溶かし出すことにより飽和濃度の塩水を作り、その後に供給される所定量の水道水で所定の濃度に希釈すると共に塩水容器４４の底に設けたサイフォン部４５によってイオン除去手段３４の塩水受け口４１ａに供給して該イオン除去手段３４内のイオン交換樹脂３９に作用させることによりその機能を回復させる構成である。
【００４０】
イオン除去手段３４のイオン交換樹脂３９の機能を効率良く再生するためには、所定濃度の塩水を所定量だけ供給することが必要である。そのためには、所定量の飽和濃度塩水を作り、この飽和濃度塩水を所定量の水道水で希釈する方法が実用的である。塩水容器４４に対する水道水の供給量は、第２の電磁給水弁３５の開弁（開放）時間によって制御する。しかしながら、水道栓接続口１９から供給される水道水の水圧は、設置場所や使用時刻によって変化し、また、第２の電磁給水弁３５の通水特性にもバラツキがあるために、第２の電磁給水弁３５の開弁時間を制御するだけで所定量の水道水を塩水容器に供給することが困難である。定流量供給器３６は、塩水容器４４の横に並設し、水道水圧の変化や電磁給水弁３５の通水特性のバラツキによる給水流量の変化を抑制して所定量の給水を実現し、所定量の飽和濃度塩水を作り、所定の濃度に希釈してイオン除去手段３４に供給するように支援する。
【００４１】
この定流量供給器３６は、図５および図６に示すように、第２の電磁給水弁３５からの給水を流入口３６ａから受け入れる流入室３６ｂに溢水壁部３６ｃを設けて溢水室３６ｄを形成して供給される水道水を溢水させることにより該溢水室３６ｄを定水位に保つようにし、この溢水室３６ｄの側壁に形成した流出口３６ｅから定流量の水道水を塩水容器４４に供給するようにした構成である。
【００４２】
流入口３６ａから溢水室３６ｄに流入する水量の変動に対して定水位維持精度を高めるためには、溢水壁部３６ｃの上端の溢水縁を長くすることが望ましい。定流量供給器３６の大型化を抑制しつつ溢水壁部３６ｃの溢水縁を長くするために、この実施の形態では、溢水縁が屈曲（蛇行）させた溢水壁部３６ｃとした。
【００４３】
溢水壁部３６ｃの溢水縁からの溢水は、溢流室３６ｆで受け入れ、また、塩水容器４４の異常水位による溢流も溢流室３６ｆに形成した溢流受け口３６ｇから受け入れて排水管３６ｈから給水口２０に流出させて洗濯水として給水するようにする。
【００４４】
また、流入室３６ｂには溢流室３６ｆに繋がる水抜き穴３６ｉを形成して残水を放出することにより、残水の凍結を防止するようにしている。
【００４５】
次に、塩水生成手段３７について説明する。
【００４６】
先ず、塩水容器４４について説明する。図７は塩水容器４４の平面図、図８はその左側面図、図９はその右側面図、図１０はその縦断正面図、図１１はサイフォン部４５の一部を構成するキャップの縦断正面図である。
【００４７】
この塩水容器４４は、側壁に前記定流量供給器３６の流出口３６ｅからの給水を受け入れる流入口４４ａと容器内に異常水位が発生したときに前記溢流受け口３６ｇに溢流させる溢流口４４ｂを備え、底壁に前記塩水受け口４１ａに嵌合するサイフォン部４５を備える。
【００４８】
サイフォン部４５は、塩水容器４４の底壁の中央部分の一部に凹部４４ｃを形成して該凹部４４ｃの底壁を貫通して立ち上がる流出筒４４ｄを形成し、この流出筒４４ｄの上側の先端部を隙間４５ａを介在させて包囲するようにキャップ４５ｂを被せた構成である。流出筒４４ｄの下側の突出部は、イオン除去手段３４の塩水受け口４１ａ内に嵌着する。
【００４９】
次に、塩容器３２について説明する。図１２は塩容器３２の平面図、図１３はその側面図である。図１４は塩容器本体３２ａの平面図、図１５はその左側面図、図１６はその右側面図、図１７はその正面図、図１８はその縦断正面図である。図１９は取っ手３２ｅの正面図、図２０はその縦断側面図である。
【００５０】
塩容器本体３２ａは、樹脂成形により骨格３２ｂと細かい目の網３２ｃを一体化して上側開口形態に構成した略四角形の通水性の箱型容器であり、約５００グラムの食塩を収容できる容積に構成する。網３２ｃは、この実施の形態では１３５メッシュの樹脂成形品を使用し、骨格３２ｂの内側に、四方の側面および底面を囲うように取り付けた。また、この塩容器本体３２ａの底部には、下向きに開口してサイフォン部４５を包囲する気密性の覆い部３２ｄを形成する。
【００５１】
また、この塩容器本体３２ａの骨格３２ｂには底面の網３２ｃと塩水容器４４の底面の間に所定の隙間を形成するように複数個の脚部３２ｅを設ける。
【００５２】
取っ手３２ｆは、この塩容器本体３２ａの上縁部に手前側に転角して起伏可能に取り付ける。この塩容器本体３２ａに対する取っ手３２ｆの取り付けは、塩容器本体３２ａの上縁の骨格３２ｂに取り付け穴３２ｈと係止突起３２ｉを形成し、コ字状の取っ手３２ｆの両端部に内側に向けて突設した係合突起３２ｊを前記取り付け穴３２ｈに回動可能に嵌着し、取っ手３２ｆが起立状態となったときに係止突起３２ｉが当接して該取っ手３２ｆを係止する係止段部３２ｋを該取っ手３２ｆの両端部の内側に形成した構成とした。
【００５３】
このように構成した塩容器３２は、バックパネル１１の一部に形成したカバー３１を開いて取っ手３２ｆを起立させて塩水容器４４から取り出し、約５００グラムの食塩（精製塩が好適）を投入（補充）して再び塩水容器４４内に収納して取っ手３２ｆを手前側に転角して伏せた後にカバー３１を閉じるようにして脱着する。
【００５４】
塩を補充したときには、この塩を馴染ませるために、第２の電磁給水弁３５を開いて約１２０ｍｌの水道水を塩水容器４４に供給して塩に水分を含ませる。この量の水道水が塩水容器４４に供給されると、塩水容器４４内の水位はサイフォン部４５の流出筒４４ｄの先端を越えて流出水位となる。そして、流出が始まると、サイフォン作用によって塩水容器４４内の水の殆どは流出して準備完了となる。
【００５５】
その後、洗濯を開始すると、先ず、第２の電磁給水弁３５を開いて定流量供給器３６を介して塩水容器４４に所定量の給水を実行する。この所定量は、飽和濃度の塩水を作るための量であり、塩水容器４４内では塩容器３２の底部を浸して内部の塩を溶かし出して塩水を作成するのに十分な水位となるようにする。この実施の形態では、この所定量を５０ｍｌとして５０ｍｌの飽和濃度塩水を作るようにした。このときの水位（第１の水位）は、サイフォン部４５の流出筒４４ｄの先端を越えない流出開始水位以下となるようにして流出を防いで塩水容器４４の底部に保持しておくことにより、洗濯中に飽和濃度の塩水が生成されるようにする。
【００５６】
そして、第１の給水電磁弁３３を開弁して洗濯のための給水を実行する。第１の電磁給水弁３３から給水される水道水は、イオン除去手段３４の下部室４２ｂからイオン交換樹脂３９を通して上部室４２ａに進み、排水口４０ｂから給水口２０を介して洗濯兼脱水槽２内に給水される。この水道水は、イオン交換樹脂３９を通過するときに洗濯の障害になるイオン成分が該イオン交換樹脂３９に吸着されて軟水となる。このときには、逆止弁４３が浮上して塩水受け口４１ａの開口を閉じて洗濯給水が塩水容器４４に進入するのを防止する。
【００５７】
そして、最終濯ぎ工程における給水後に第２の電磁給水弁３５を開いて塩水容器４４に所定量の希釈用の水道水を供給する。この実施の形態では、この希釈水量を７０ｍｌとした。塩水容器４４に希釈水が供給されると飽和濃度塩水はこの希釈水で希釈されると共に塩水容器４４内の水位が上昇し、この水位が流出筒４４ｄの先端を越えることから希釈された塩水の流出が始まり、希釈された塩水がこの流出筒４４ｄから塩水受け口４１ａおよび逆止弁４３を経て上部室４２ａに流入し、上側壁４０ａの通水穴を通過してイオン交換樹脂３９に供給されて該イオン交換樹脂３９の機能を回復させる。その後、第１の電磁給水弁３３を開いてイオン除去手段３４に給水することにより、イオン交換樹脂３９の洗浄と塩水の排出を実行する。このときにも逆止弁４３が塩水受け口４１ａの開口を閉じて洗浄給水が塩水容器４４に進入するのを防止する。
【００５８】
このような給水制御のための第１および第２の電磁給水弁３３，３５の開閉制御は、洗濯および脱水工程制御と共に主制御装置１７によって実行する。しかも、塩水生成手段３７への所定量の給水は、定流量供給器３６により給水流量が一定となることから、給水時間（開弁時間）制御によって容易に実現することができる。
【００５９】
ここで、飽和濃度塩水作成時と希釈塩水供給時の水位と塩水流出挙動と適正仕様について説明する。図２１は塩水生成手段３７の縦断正面図、図２２はサイフォン部４５の縦断正面図である。
【００６０】
飽和濃度塩水作成のために５０ｍｌの水道水を塩水容器４４に供給したときの該塩水容器４４内の水位ｈ１（凹部４４ｃの底面を基準としての高さ）は、流出筒４４ｄの先端の高さｈ２より低い水位となるようにする。
【００６１】
キャップ４５ｂの下側開口端縁の高さｈ３は、流出筒４４ｄの高さｈ２よりも低く、３〜５ｍｍとすることが望ましい。また、キャップ４５ｂの開口端縁の内面と流出筒４４ｄの外周面の間の隙間４５ａの寸法ｇ１は、２．５〜３ｍｍとすることが望ましい。これらの範囲を越えて、狭すぎると、サイフォン部４５におけるサイフォン作用による塩水流出後にこの隙間４５ａ内に表面張力（毛管現象）で塩水が残るために、次の飽和濃度塩水作成のための給水による水位がｈ３に達するとサイフォン作用が再開して流出してしまう恐れがあり、また、広すぎると、サイフォン作用が早期に失わて多量の希釈塩水が塩水容器４４内に残留し、次の飽和濃度塩水作成のための給水による水位が流出筒４４ｄの高さｈ２を越えてサイフォン作用が発生して流出してしまう恐れがれる。
【００６２】
また、サイフォン作用による塩水流出時の塩水残留量を少なくするためには、サイフォン部４５を覆う気密性の覆い部３２ｄの存在と塩水容器４４の底面と塩容器３２の底面の間の隙間の寸法の適正化が必要である。覆い部３２ｄは、塩水容器４４の凹部４４ｃに対向するように下向き開口してサイフォン部４５を外気から遮断するように上側から覆い、内側の塩水がサイフォン部４５から流出して内部が低圧（負圧）になることによって周囲に残留する塩水を吸引してサイフォン部４５の周囲に集中するように移動させる。塩水容器４４の底面（凹部４４ｃ以外の領域）と塩容器３２の底面の間の隙間は、サイフォン作用による塩水流出の末期に塩水の表面張力によりこの隙間と網目（網３２ｃの目）を塞ぐ水膜が発生して覆い部３２ｄ内が外気と連通して負圧が消滅するのを抑制し、塩水流出に伴ってこの水膜が途切れることなくサイフォン部４５に向けて引かれて順次集中するように移動（減少）する挙動が長く継続するようにすることが望ましい。希釈塩水の水膜がこのように挙動する隙間寸法は、塩水濃度や容器３２と塩水容器４４の材質などによって異なるが、３ｍｍ程度が好適である。隙間が狭すぎると、塩水の水膜の集中移動が早期に停止して塩水容器４４内の希釈塩水の残量が多くなる。隙間が広すぎると、水膜が早期に途切れて該水膜の集中移動が停止してしまうことから、やはり、希釈塩水の残量が多くなる。
【００６３】
外槽内に洗濯兼脱水槽を設けた電気洗濯機について説明したが、洗濯槽と脱水槽を別置きにした所謂２槽式洗濯機にも適用することができる。
【００６４】
【発明の効果】
本発明の再生手段によれば、複数回の塩水作成を可能にする量の塩を収容した塩容器を使用してイオン交換樹脂再生に適量の塩水を作成して確実にイオン除去手段に供給することができる。
【００６５】
また、塩容器に収容した塩を無駄なく経済的に使用することができる。
【００６６】
また、イオン交換樹脂の機能回復用の塩水の作成および供給のための給水量制御を容易にすることができる。
【図面の簡単な説明】
【図１】本発明の一実施の形態を示す電気洗濯機の外観を示す斜視図である。
【図２】本発明の一実施の形態を示す電気洗濯機の縦断側面図である。
【図３】本発明の一実施の形態の電気洗濯機の再生手段における塩容器の着脱状態を示す斜視図である。
【図４】本発明の一実施の形態の電気洗濯機の給水装置の縦断側面図である。
【図５】本発明の一実施の形態の電気洗濯機の給水装置における定流量供給器の斜視図である。
【図６】本発明の一実施の形態の電気洗濯機の給水装置における定流量供給器の平面図である。
【図７】本発明の一実施の形態の電気洗濯機の給水装置における塩水容器の平面図である。
【図８】図７に示した塩水容器の左側面図である。
【図９】図７に示した塩水容器の右側面図である。
【図１０】図７に示した塩水容器の縦断正面図である。
【図１１】図７〜図１０に示した塩水容器に設けるサイフォン部を構成するキャップの縦断正面図である。
【図１２】本発明の一実施の形態の電気洗濯機の給水装置における塩容器の平面図である。
【図１３】図１２に示した塩容器の側面図である。
【図１４】図１２に示した塩容器における塩容器本体の平面図である。
【図１５】図１２に示した塩容器における塩容器本体の左側面図である。
【図１６】図１２に示した塩容器における塩容器本体の右側面図である。
【図１７】図１２に示した塩容器における塩容器本体の正面図である。
【図１８】図１２に示した塩容器における塩容器本体の縦断正面図である。
【図１９】図１２に示した塩容器における取っ手の正面図である。
【図２０】図１９に示した取っ手の縦断側面図である。
【図２１】図４に示した給水装置の塩水生成手段における飽和濃度塩水作成時と希釈塩水供給時の水位と塩水流出挙動と適正仕様を説明するための縦断正面図である。
【図２２】図２１に示した塩水生成手段におけるサイフォン部を拡大して示す縦断正面図である。
【符号の説明】
３２…塩容器、３４…イオン除去手段、３５…第２の電磁給水弁、３６…定流量供給器、３７…塩水生成手段、３９…イオン交換樹脂、４４…塩水容器、４５…サイフォン部。
【図１】
0003574595.tif 000002
【図２】
0003574595.tif 000003
【図３】
0003574595.tif 000004
【図４】
0003574595.tif 000005
【図５】
0003574595.tif 000006
【図６】
0003574595.tif 000007
【図７】
0003574595.tif 000008
【図８】
0003574595.tif 000009
【図９】
0003574595.tif 000010
【図１０】
0003574595.tif 000011
【図１１】
0003574595.tif 000012
【図１２】
0003574595.tif 000013
【図１３】
0003574595.tif 000014
【図１４】
0003574595.tif 000015
【図１５】
0003574595.tif 000016
【図１６】
0003574595.tif 000017
【図１７】
0003574595.tif 000018
【図１８】
0003574595.tif 000019
【図１９】
0003574595.tif 000020
【図２０】
0003574595.tif 000021
【図２１】
0003574595.tif 000022
【図２２】
0003574595.tif 000023